(57)【特許請求の範囲】
【請求項１】
測定対象の個体の肌におけるトリプトファンＡＧＥｓ（Ａｄｖａｎｃｅｄ  Ｇｌｙｃａｔｉｏｎ  Ｅｎｄｐｒｏｄｕｃｔｓ）の蛍光強度を測定する測定部と、
上記測定部が測定した蛍光強度を用いて上記肌の状態を判定する判定部とを備え、
上記判定部は、高血糖状態による肌の悪化状態を判定することを特徴とする肌状態判定装置。
【請求項２】
上記判定部は、上記測定部が測定した蛍光強度と、所定の参照値とを比較した結果に基づいて上記肌の状態を判定することを特徴とする請求項１に記載の肌状態判定装置。
【請求項３】
上記測定部が測定した蛍光強度が、上記所定の参照値よりも高い場合に、上記判定部は、上記肌の状態は正常状態から外れていると判定することを特徴とする請求項２に記載の肌状態判定装置。
【請求項４】
上記所定の参照値は、上記個体が属する年齢層におけるトリプトファンＡＧＥｓの蛍光強度の統計値に基づく値であることを特徴とする請求項２または３に記載の肌状態判定装置。
【請求項５】
上記測定部は、上記肌に対して励起光を照射し、当該励起光の照射によって発生した蛍光の強度を測定することを特徴とする請求項１〜４のいずれか１項に記載の肌状態判定装置。
【請求項６】
上記励起光は、トリプトファンＡＧＥｓの蛍光の検出に適した波長を有していることを特徴とする請求項５に記載の肌状態判定装置。
【請求項７】
上記励起光のピーク波長は、２８０ｎｍ以上４００ｎｍ以下の波長範囲に含まれていることを特徴とする請求項６に記載の肌状態判定装置。
【請求項８】
上記測定部は、トリプトファンＡＧＥｓの蛍光として、３７０ｎｍ以上４１０ｎｍ以下の波長範囲内にピーク波長を有する蛍光を検出することを特徴とする請求項１〜７のいずれか１項に記載の肌状態判定装置。
【請求項９】
上記測定部と上記判定部とは、物理的に分離でき、通信可能に接続できるものであることを特徴とする請求項１〜８のいずれか１項に記載の肌状態判定装置。
【請求項１０】
請求項１〜９のいずれか１項に記載の肌状態判定装置が備える判定部としてコンピュータを機能させるための肌状態判定プログラム。
【請求項１１】
請求項１０に記載の肌状態判定プログラムを記録したコンピュータ読み取り可能な記録媒体。
【発明の詳細な説明】
【技術分野】
【０００１】
本発明は、肌の状態を判定する判定装置および判定方法に関する。
【背景技術】
【０００２】
近年、食生活の欧米化に伴い、生活習慣病患者が増加し、医学的、社会的問題が深刻となっている。現在、日本における糖尿病患者は８００万人、その予備軍を含めると２０００万人にのぼるとも言われている。糖尿病の三大合併症は、「網膜症、腎症、神経障害」である。さらには、糖尿病は動脈硬化症の要因ともなり、心臓疾患や脳疾患までもが懸念される。
【０００３】
糖尿病は、食習慣や生活習慣の乱れ、肥満による脂肪細胞からの分泌物の影響、または酸化ストレスにより、すい臓の機能が低下し、血糖値をコントロールするインシュリンが不足したり、インシュリンの効能が低下したりすることで発症する。糖尿病にかかると、排尿の回数や量が多い、のどがかわくなどの症状が現れるが、これだけであれば病気だという自覚症状が無く、病院などでの検査により発覚することが殆どである。このことが、「サイレント」な糖尿病患者が多い由縁である。
【０００４】
病院などで合併症による異常な症状が表れてからでは、すでに病状が進行していることが多く、完治することは難しい。特に合併症は治療が困難なものが多く、他の生活習慣病と同様に予防が重要視されている。予防を行うためには早期発見と治療効果判定とが不可欠であり、それを目的とした糖尿病の検査が多数存在している。
【０００５】
血中に異常な量の糖質や脂質が存在する環境下で、酸化ストレスが加わると、タンパク質と糖質または脂質とが反応を起こし、ＡＧＥｓ（Ａｄｖａｎｃｅｄ  Ｇｌｙｃａｔｉｏｎ  Ｅｎｄｐｒｏｄｕｃｔｓ；後期糖化反応生成物）が生成される。ＡＧＥｓはタンパク質の非酵素的糖付加反応（メイラード反応）により形成される最終生成物であり、黄褐色を呈し、蛍光を発する物質であって、近くに存在する蛋白と結合して架橋を形成する性質を有している。
【０００６】
糖尿病の場合、血糖の上昇に伴い、ＡＧＥｓも増加するので、ＡＧＥｓをモニタリングすることで、糖尿病の早期発見、あるいは進行状況を把握することができる。また、皮膚においてもＡＧＥｓは形成され、肌のはりおよび弾力性の低下といった肌の老化を促進する原因となると言われている。
【０００７】
このようなＡＧＥｓをモニタリングすることで、個人の健康状態および肌の状態を評価する手法として、例えば特許文献１に記載の方法が報告されている。この方法では、生体の皮膚の一定領域に励起光を照射し、ＡＧＥｓ化した皮膚コラーゲンおよびエラスチンからの蛍光スペクトルとトリプトファンからの蛍光スペクトルとを検出している。そして、得られたこれらの蛍光強度比と予め決定された一定の対照の強度比とを比較している。これにより、侵襲することなく個人の健康状態および肌の老化を評価している。
【０００８】
トリプトファンに由来する蛍光は、肌の老化に伴い減少し、ＡＧＥｓ化コラーゲンおよびエラスチンは、肌の老化に伴い増加する。そのため、特許文献１に記載の方法では、トリプトファンの蛍光強度とＡＧＥｓ化コラーゲンおよびエラスチンの蛍光強度との比を肌の老化の指標として利用している。
【先行技術文献】
【特許文献】
【０００９】
【特許文献１】特開２００５−１６９１２４号公報（２００５年６月３０日公開）
【発明の概要】
【発明が解決しようとする課題】
【００１０】
しかしながら、トリプトファンは生体内で合成されないため、トリプトファンの皮膚組織における蓄積量は、外因（食事）の影響を受けやすい。そのため、特許文献１に記載の方法では、測定タイミング（空腹時・食後等）により測定結果が変化しやすい。また、精神状態の不安定なうつ病者などにおいては、健全者よりも生体内トリプトファン量が少ない。これらの理由により、特許文献１に記載の方法では、精度良く肌の状態を評価することが困難である。
【００１１】
また、ＡＧＥｓ化コラーゲンおよびエラスチンの蛍光強度は年齢に比例して増大するため、加齢による影響を大きく受けやすく、不摂生な食生活によって肌状態が悪化しているかどうかを判定することは困難である。そもそも、不摂生な食生活による肌の状態悪化を評価するという課題は、特許文献１には記載されていない。
【００１２】
なお、特許文献１の発明では、蛍光強度の測定に２種類の励起波長を必要とするため、装置の構成が複雑になる、測定時間が長くなるという問題もある。
【００１３】
本発明は、上記の問題点を解決するためになされたもので、その目的は、肌の状態（特に、不摂生な食生活による肌の状態の悪化）を精度高く判定することができる判定装置および判定方法を提供することにある。
【課題を解決するための手段】
【００１４】
本発明に係る肌状態判定装置は、上記の課題を解決するために、
測定対象の個体の肌におけるトリプトファンＡＧＥｓ（Ａｄｖａｎｃｅｄ  Ｇｌｙｃａｔｉｏｎ  Ｅｎｄｐｒｏｄｕｃｔｓ）の蛍光強度を測定する測定部と、
上記測定部が測定した蛍光強度を用いて上記肌の状態を判定する判定部とを備えることを特徴としている。
【００１５】
上記の構成によれば、測定部において肌のトリプトファンＡＧＥｓの蛍光強度が測定される。そして、測定されたトリプトファンＡＧＥｓの蛍光強度を用いて肌の状態が判定部において判定される。
【００１６】
トリプトファンＡＧＥｓは、肌状態の悪化の指標となることを本発明の発明者らが見出した。トリプトファンＡＧＥｓの蛍光強度は加齢に伴って顕著に増加することはなく、食生活の影響を顕著に受けるため、不摂生による肌状態の悪化の判断をしやすい。このトリプトファンＡＧＥｓを指標として肌の状態を判定することにより、肌の状態を精度高く判定することができる。特に、不摂生な食生活による肌の状態の悪化を精度高く判定することができる。
【００１７】
また、上記判定部は、上記測定部が測定した蛍光強度と、所定の参照値とを比較した結果に基づいて上記肌の状態を判定することが好ましい。
【００１８】
例えば、上記測定部が測定した蛍光強度が、上記所定の参照値よりも高い場合に、上記判定部は、上記肌の状態は正常状態から外れていると判定してもよい。
【００１９】
上記の構成により、実測値と予め用意された参照値とを比較することにより、実測値が参照値とどれだけ異なっているかを求め、その結果から肌の状態を判定することができる。
【００２０】
また、上記所定の参照値は、上記個体が属する年齢層におけるトリプトファンＡＧＥｓの蛍光強度の統計値に基づく値であることが好ましい。
【００２１】
上記の構成により、測定対象の個体の年齢に見合った参照値を用いて肌状態の判定を行うことができ、判定の信頼性を高めることができる。
【００２２】
また、上記測定部は、上記肌に対して励起光を照射し、当該励起光の照射によって発生した蛍光の強度を測定することが好ましい。
【００２３】
上記の構成により、肌におけるトリプトファンＡＧＥｓの蛍光強度を測定できる。
【００２４】
また、上記励起光は、トリプトファンＡＧＥｓの蛍光の検出に適した波長を有していることが好ましい。
【００２５】
例えば、上記励起光のピーク波長は、２８０ｎｍ以上４００ｎｍ以下の波長範囲に含まれていることが好ましい。
【００２６】
上記の構成により、トリプトファンＡＧＥｓに効率良く蛍光を放射させることができ、トリプトファンＡＧＥｓの蛍光強度を測定することが可能となる。
【００２７】
また、上記測定部は、トリプトファンＡＧＥｓの蛍光として、３７０ｎｍ以上４１０ｎｍ以下の波長範囲内にピーク波長を有する蛍光を検出することが好ましい。
【００２８】
上記の構成により、トリプトファンＡＧＥｓの蛍光強度を効率良く検出できる。
【００２９】
また、上記測定部と上記判定部とは、物理的に分離でき、通信可能に接続できるものであることが好ましい。
【００３０】
上記の構成によれば、測定部と判定部とを別々の装置として実現でき、例えば、測定装置と、判定装置としてのパソコンとの組み合わせとして発明を実現できる。
【００３１】
また、上記肌状態判定装置が備える判定部としてコンピュータを機能させるための肌状態判定プログラム、肌状態判定プログラムを記録したコンピュータ読み取り可能な記録媒体も本発明の技術的範囲に含まれる。
【００３２】
本発明に係る肌状態判定方法は、上記の課題を解決するために、
肌におけるトリプトファンＡＧＥｓ（Ａｄｖａｎｃｅｄ  Ｇｌｙｃａｔｉｏｎ  Ｅｎｄｐｒｏｄｕｃｔｓ）の蛍光強度を測定する測定工程と、
上記測定工程において測定した蛍光強度を用いて上記肌の状態を判定する判定工程とを含むことを特徴としている。
【００３３】
上記の構成によれば、測定工程において肌のトリプトファンＡＧＥｓの蛍光強度が測定される。そして、測定されたトリプトファンＡＧＥｓの蛍光強度を用いて肌の状態が判定される。
【００３４】
トリプトファンＡＧＥｓは、肌状態の悪化の指標となることを本発明の発明者らが見出した。トリプトファンＡＧＥｓの蛍光強度は加齢に伴って顕著に増加することはなく、食生活の影響を顕著に受けるため、不摂生による肌状態の悪化の判断をしやすい。このトリプトファンＡＧＥｓを指標として肌の状態を判定することにより、肌の状態を精度高く判定することができる。特に、不摂生な食生活による肌の状態の悪化を精度高く判定することができる。
【００３５】
また、蛍光強度の測定の標準となる蛍光の強度を用いて、トリプトファンＡＧＥｓの蛍光の強度を補正する補正工程をさらに含むことが好ましい。
【００３６】
上記の構成では、標準となる蛍光（リファレンス）に基づいて、トリプトファンＡＧＥｓの蛍光強度を補正するため、測定値の信頼性を高めることができる。
【発明の効果】
【００３７】
以上のように、本発明に係る肌状態判定装置は、測定対象の個体の肌におけるトリプトファンＡＧＥｓ（Ａｄｖａｎｃｅｄ  Ｇｌｙｃａｔｉｏｎ  Ｅｎｄｐｒｏｄｕｃｔｓ）の蛍光強度を測定する測定部と、上記測定部が測定した蛍光強度を用いて上記肌の状態を判定する判定部とを備える構成である。
【００３８】
本発明に係る肌状態判定方法は、肌におけるトリプトファンＡＧＥｓ（Ａｄｖａｎｃｅｄ  Ｇｌｙｃａｔｉｏｎ  Ｅｎｄｐｒｏｄｕｃｔｓ）の蛍光強度を測定する測定工程と、上記測定工程において測定した蛍光強度を用いて上記肌の状態を判定する判定工程とを含む構成である。
【００３９】
それゆえ、肌の状態を精度高く判定することができるという効果を奏する。
【図面の簡単な説明】
【００４０】
【図１】本発明の一実施形態に係る肌状態判定システムの構成を示す図である。
【図２】上記肌状態判定システムにおける処理の流れの一例を示すフローチャートである。
【図３】異なる測定対象者から得られた蛍光波長４００ｎｍの励起スペクトルを示す図である。
【図４】各種アミノ酸由来のＡＧＥｓの蛍光ピーク波長を示す図である。
【図５】トリプトファンＡＧＥｓ由来の蛍光強度と糖化時間との関係を示すグラフである。
【図６】トリプトファンの蛍光スペクトルと、人工的に合成したトリプトファンＡＧＥｓの蛍光スペクトルとを示すグラフである。
【図７】人工的に合成したトリプトファンＡＧＥｓの励起スペクトルを示すグラフである。
【図８】健常者の通常血糖濃度のグルコース存在下でトリプトファンをインキュベートし、蛍光スペクトルを測定した結果を示す図である。
【発明を実施するための形態】
【００４１】
本発明の実施の一形態について図１〜図８に基づいて説明すれば、以下のとおりである。
【００４２】
〔本発明の技術的思想〕
まず、本発明の技術的思想について説明する。
【００４３】
本発明の発明者は、生体内に存在するアミノ酸由来のＡＧＥｓのうち、トリプトファンＡＧＥｓが肌の状態の悪化（老化）を示す指標となることを見出し、本発明を想到するに至った。
【００４４】
ＡＧＥｓは、肌の老化を示す指標としてこれまでも利用されてきたが、トリプトファンＡＧＥｓを選択的に検出し、肌の状態の指標として用いた例は、本発明の発明者が知る限りではこれまでにない。
【００４５】
特に、本発明では加齢に伴う肌の老化よりも、不摂生な食生活（例えば、慢性的な高血糖状態、糖の過剰摂取など）による肌状態の悪化に注目し、その指標としてトリプトファンＡＧＥｓを用いている。不摂生な食生活による肌状態の悪化を評価するという試みは、本発明の発明者が知る限りではこれまでにない。
【００４６】
このように、トリプトファンＡＧＥｓを肌の状態の指標として用いるという技術的思想は新規なものである。
【００４７】
トリプトファンＡＧＥｓを肌の状態の指標として用いることにより、不摂生な食生活による肌状態の悪化を精度良く判定できる。トリプトファンＡＧＥｓの蛍光強度は加齢に伴って顕著に増加することはなく、食生活の影響を顕著に受ける。トリプトファンＡＧＥｓは、健全な食生活を行っている場合には、蓄積する可能性が低いと考えられる。
【００４８】
そのため、トリプトファンＡＧＥｓを測定することで、加齢に伴う肌の老化とは独立に、不摂生な食生活による肌状態の悪化を判定できる。
【００４９】
また、トリプトファンＡＧＥｓは、遊離のトリプトファンとは異なり、食事の前後によって皮膚における蓄積量が顕著には変化しない。これは、トリプトファンＡＧＥｓの生成には時間がかかるためである。それゆえ、測定タイミングによって測定結果にばらつきが生じる可能性が少ない。
【００５０】
また、トリプトファンＡＧＥｓの蛍光は、血管の糖化を高精度に反映しているため、健康状態の評価を行うこともできる。
【００５１】
〔肌状態判定システム２０の構成〕
次に、本実施形態の肌状態判定システム（肌状態判定装置）２０の構成について説明する。図１は、肌状態判定システム２０の構成を示す図である。図１に示すように、肌状態判定システム２０は、測定装置（測定部）１および判定装置（判定部）１０を備えている。
【００５２】
（測定装置１の構成）
測定装置１は、測定対象の個体の肌（皮膚）に対して励起光を照射し、当該励起光の照射によって発生した蛍光の強度を測定する蛍光光度計である。より厳密には、肌に含まれる蛍光物質に励起光が照射されることによって、当該蛍光物質から蛍光が放射される。この蛍光の強度を測定することにより、肌に含まれる蛍光物質の蓄積量を測定することが可能となる。
【００５３】
特に、測定装置１は、測定対象の個体の肌におけるトリプトファンＡＧＥｓ（Ａｄｖａｎｃｅｄ  Ｇｌｙｃａｔｉｏｎ  Ｅｎｄｐｒｏｄｕｃｔｓ）の蛍光強度を測定する。
【００５４】
励起光を照射する箇所は、腕、手首、指、手のひら、頬、耳等であり、これらの測定対象部に含まれる特定部位または特定位置に対して励起光が照射される。
【００５５】
図１に示すように、測定装置１は、励起光源２、検出器３、入射用光ファイバー４および反射用光ファイバー５を備えている。
【００５６】
（励起光源２）
励起光源２は、測定対象部３０に照射する励起光を生成する光源である。この励起光は、トリプトファンＡＧＥｓ由来の蛍光を検出するためのものであり、トリプトファンＡＧＥｓを測定するために適した波長範囲を有している。具体的には、励起光源２から出射される励起光は、約２８０ｎｍ以上約４００ｎｍ以下の範囲内にピーク波長を有するものである。この範囲の励起光であれば、トリプトファンＡＧＥｓを励起し、蛍光を放射させることができる。
【００５７】
励起光源２として用いられる光源の種類としては、ハロゲンやキセノン光源のような管球タイプのものや、ＬＥＤ、ＬＤ等が利用可能である。励起光源２から出射された励起光は、入射用光ファイバー４を通って測定対象部３０へと導光される。
【００５８】
（検出器３）
検出器３は、測定対象部３０の表面（肌）に励起光が照射されることによって発生した蛍光を、反射用光ファイバー５を通して受光し、その蛍光の波長ごとの強度を測定する。すなわち、検出器３は、どの波長の蛍光がどの程度の強さで検出されたのかを測定する。
【００５９】
検出器３としてはＣＣＤ（charge-coupled device）アレイやＣＭＯＳ（ｃ metal-oxide semiconductor）イメージセンサといった半導体検出器、光電子倍増管（ＰＭＴ）やチャンネルトロン検出器等が利用可能である。ただし、測定装置１の可搬性を高める上では、半導体検出器を用いるほうが有利である。
【００６０】
蛍光は励起光よりも波長が長いため、検出器３としては、３２０〜５００ｎｍの範囲の光が検出できるものであればよいが、蛍光についても、ＡＧＥｓの種類によって検出される波長に幅があるため、３２０〜９００ｎｍの範囲が検出できるものであれば利用可能である。
【００６１】
特に、検出器３は、トリプトファンＡＧＥｓの蛍光として、３７０ｎｍ以上４１０ｎｍ以下の波長範囲内にピーク波長を有する蛍光を検出することが好ましい。この波長範囲内に蛍光のピーク強度を有する蛍光を検出することにより、トリプトファンＡＧＥｓの蛍光強度を測定することができる。
【００６２】
（入射用光ファイバー４・反射用光ファイバー５）
入射用光ファイバー４は、励起光源２から出射された励起光を測定対象部３０へと導光する導光部（プローブ）である。反射用光ファイバー５は、測定対象部３０において発生した蛍光を受光し、検出器３へ導く導光部である。入射用光ファイバー４の先端と反射用光ファイバー５の先端とは一致している。すなわち、入射用光ファイバー４および反射用光ファイバー５は、２分岐光ファイバーである。
【００６３】
（判定装置１０の構成）
判定装置１０は、測定装置１が測定した蛍光強度を用いて測定対象の個体の肌の状態を判定する。判定装置１０と測定装置１とは、物理的に分離された個別の装置として実現されており、有線または無線により互いに通信可能に接続されている。判定装置１０は、パーソナルコンピュータであってもよい。なお、測定装置１と判定装置１０とを一体として実現してもよい。
【００６４】
この判定装置１０は、データ取得部１１、判定部１２、記憶部１３、表示部１４および操作部１５を備えている。
【００６５】
データ取得部１１は、測定装置１から蛍光強度の測定結果を示す測定データを取得し、当該測定データを解析する。測定データの解析には、ピークの分離および抽出、ピーク位置の算出などが含まれる。測定データの解析には、Ｐｅａｋ  Ｆｉｔなど市販のソフトを用いることができる。
【００６６】
判定部１２は、取得した測定データが示すトリプトファンＡＧＥｓの蛍光強度（実測蛍光強度と称する）と、所定の参照値（参照蛍光強度と称する）とを比較した結果に基づいて肌の状態を判定する。参照蛍光強度は、実測蛍光強度を評価するための基準となる値である。例えば、参照蛍光強度は、予め年齢層ごとに算出された健常者のトリプトファンＡＧＥｓの蛍光強度の統計値（例えば、平均値）に基づいて算出された少なくとも１段階の値である。また、参照蛍光強度は、健常者のトリプトファンＡＧＥｓの蛍光強度の範囲であってもよい。
【００６７】
判定部１２は、実測蛍光強度が、参照蛍光強度よりも高い場合に、肌の状態は正常状態から外れていると判定する。参照蛍光強度を複数段階設け、正常、やや悪化、著しく悪化など、判定結果を複数段階出力してもよい。このような判定結果は、表示部１４に表示される。
【００６８】
（記憶部１３）
記憶部１３は、例えば、ハードディスク、フラッシュメモリなどの不揮発性の記憶装置であり、測定データ、参照蛍光強度、ユーザ設定情報などの各種の情報を記憶する。
【００６９】
（表示部１４）
表示部１４は、判定部１２の判定結果を表示する表示装置であり、例えば、液晶ディスプレイである。
【００７０】
（操作部１５）
操作部１５は、ユーザからの入力操作を受け付ける入力装置であり、例えば、キーボード、マウス、入力ボタン等を含んでいる。
【００７１】
〔肌状態判定システム２０における処理の流れ〕
次に、肌状態判定システム２０における処理の流れの一例について説明する。図２は、肌状態判定システム２０（特に、判定装置１０）における処理の流れの一例を示すフローチャートである。
【００７２】
まず、ユーザ（測定対象者）は、入射用光ファイバー４および反射用光ファイバー５の先端を、測定を所望する肌の箇所にあてる。励起光源２からトリプトファンＡＧＥｓの測定に適した波長の励起光（例えば、２９０ｎｍ）が出射されると、その励起光は、入射用光ファイバー４の先端から肌に出射される（励起光出射工程）。
【００７３】
肌に含まれるトリプトファンＡＧＥｓに励起光が照射されることによって、蛍光が放射される。この蛍光は、反射用光ファイバー５の先端から入射し、検出器３へと導かれる。
【００７４】
検出器３は、蛍光を受光すると（蛍光受光工程）、当該蛍光の波長ごとの蛍光強度を測定し、その測定結果を示す測定データを判定装置１０のデータ取得部１１へ出力する。
【００７５】
データ取得部１１は、測定データを受け取ると（Ｓ１）、当該測定データに対してピークの分離・抽出などの解析を行い、その解析結果を記憶部１３に格納するとともに、測定データを受信した旨を示す情報を判定部１２に出力する。
【００７６】
判定部１２は、記憶部１３に格納された解析結果からトリプトファンＡＧＥｓのピーク波長（例えば、３９０ｎｍ）における蛍光強度を抽出する（Ｓ２）。
【００７７】
そして、判定部１２は、抽出した蛍光強度（実測蛍光強度）と、記憶部１３に格納されている参照蛍光強度とを比較することにより肌状態の悪化の程度を判定する（判定工程）（Ｓ３）。
【００７８】
参照蛍光強度として、例えば、１０代、２０代といった年齢層ごとに、肌におけるトリプトファンＡＧＥｓの蛍光強度の平均値が求められ、予め記憶部１３に格納されている。測定対象のユーザの年齢は、予め記憶部１３に格納されているか、または、測定時に操作部１５によって入力される。
【００７９】
判定部１２は、測定対象のユーザの年齢に対応する参照蛍光強度を記憶部１３から読み出し、実測蛍光強度と比較する。例えば、判定部１２は、実測蛍光強度が参照蛍光強度よりも高い場合、ユーザの肌の状態は悪いと判定する。
【００８０】
肌状態の判定を終えると、判定部１２は、判定結果を表示部１４へ出力し、表示部１４にて表示させる（Ｓ４）。
【００８１】
（評価方法の変更例）
判定部１２は、加齢の影響を受けやすいコラーゲン由来の蛍光強度とトリプトファンＡＧＥｓ由来の蛍光強度との比を算出し、算出した比の値と参照蛍光強度とを比較した結果に基づいて肌状態の悪化の程度を判定してもよい。この場合の参照蛍光強度は、年齢層ごとに求めたコラーゲンの蛍光強度とトリプトファンＡＧＥｓの蛍光強度との比の統計値（例えば、平均値）である。
【００８２】
〔実験例〕
次に、トリプトファンＡＧＥｓが肌状態の悪化の指標として利用できることを、実際の測定結果を用いて説明する。
【００８３】
＜異なる測定対象者に対する蛍光測定例＞
測定装置１として市販の蛍光光度計（ＳｋｉｎＳｋａｎ、ＪＹ・Ｈｏｒｉｂａ社）を用いて、測定対象者の前腕皮膚から非侵襲的に蛍光スペクトルを得た。その結果を図３に示す。図３は、異なる測定対象者から得られた蛍光波長４００ｎｍの励起スペクトルを示す図である。
【００８４】
図３に示す測定例では、蛍光波長を４００ｎｍに設定し、励起光波長を２７０ｎｍから３７０ｎｍまでスキャンしている。
【００８５】
被験者Ａ（４２歳）およびＢ（５５歳）において、３４０ｎｍ付近にＡＧＥ化コラーゲン由来の励起光のピークが観測され、そのピーク強度に被験者間の差はほとんど見られなかった。
【００８６】
一方、被験者Ｂでは、２９０ｎｍ付近にピークが観測されたが、被験者Ａでは観測されなかった。
【００８７】
この励起光２９０ｎｍにおけるピークが何に由来するものであるかを調べるために、人工的に合成した各種アミノ酸由来のＡＧＥｓの蛍光スペクトルを測定した。この測定には、市販の蛍光光度計（株式会社日立ハイテクノロジーズ、株式会社堀場製作所）を用いた。
【００８８】
アミノ酸は生体内に存在する２０種類のアミノ酸を用いた。アミノ酸由来ＡＧＥｓの合成は、１／１５Ｍリン酸緩衝液にアミノ酸（４．５ｇ／ｄｌ）とリボース（０．５Ｍ）とを混合させ、４０℃に設定したインキュベータ内で６０日間反応させた。
【００８９】
反応後の各種アミノ酸由来のＡＧＥｓに対して３６５ｎｍの励起波長を照射し、得られた蛍光のピーク波長を測定した。図４は、各種アミノ酸由来のＡＧＥｓの蛍光ピーク波長を示す図である。
【００９０】
図４に示すように、３６５ｎｍの励起波長を照射したときに得られる蛍光のピーク波長がトリプトファンＡＧＥｓのみ３９０ｎｍ付近に観測され、他１９種のアミノ酸由来ＡＧＥｓは４３０ｎｍから４６０ｎｍ付近に観測された。
【００９１】
それゆえ、図３の測定例において、２９０ｎｍの励起光を照射することで４００ｎｍの蛍光を発する、被験者Ｂのみで見られるピークはトリプトファンＡＧＥｓ由来のピークであると推測される。このことをさらに検証するために次に述べる複数の実験を行った。
【００９２】
（トリプトファンＡＧＥｓの生成および定量実験）
人工的にトリプトファンＡＧＥｓを合成し、蛍光光度計を用いて、合成したトリプトファンＡＧＥｓの蛍光測定を行った。測定には市販の蛍光光度計（株式会社日立ハイテクノロジーズ、株式会社堀場製作所）を用いた。
【００９３】
トリプトファンＡＧＥｓの合成は、１／１５Ｍリン酸緩衝液にトリプトファン（４．５ｇ／ｄｌ）とリボース（０．５Ｍ）とを混合させ、４０℃に設定したインキュベータ内で反応させた。
【００９４】
図５はトリプトファンＡＧＥｓ由来の蛍光強度（縦軸）と糖化時間（横軸）との関係を示している。縦軸の蛍光強度は、３６５ｎｍの励起波長を照射したときに得られる３９０ｎｍ付近の蛍光波長の強度である。
【００９５】
図５に示すように、糖化時間（日数）の増加に比例して蛍光強度が増大した。この結果から、トリプトファンの糖化反応時間に比例してトリプトファンＡＧＥｓの生成量が増加し、その生成量は、蛍光強度を測定することで定量的に求めることができることが分かった。
【００９６】
それゆえ、トリプトファンＡＧＥｓの肌における蓄積量の変化を、その蛍光強度を測定することで定量的に測定することが可能であることが示された。
【００９７】
（トリプトファンＡＧＥｓの蛍光スペクトルの測定）
次に、上述のように合成したトリプトファンＡＧＥｓの蛍光スペクトルを測定した。図６に、トリプトファン（４．５ｇ／ｄｌ）の蛍光スペクトルと、上述のように１５９日間インキュベートしたトリプトファンＡＧＥｓの蛍光スペクトルとを示す。
【００９８】
トリプトファンの蛍光スペクトルは、励起光波長を３１０ｎｍに設定し、蛍光波長を３２０ｎｍから５５０ｎｍまでスキャンしたものである。トリプトファンＡＧＥｓの蛍光スペクトルは、励起光波長を２９０ｎｍに設定し、蛍光波長を３００ｎｍから５５０ｎｍまでスキャンしたものである。
【００９９】
図６に示すように、３５０ｎｍ付近にトリプトファン由来の蛍光ピークが、３９０ｎｍ付近にトリプトファンＡＧＥｓ由来の蛍光ピークが検出された。
【０１００】
また、上述のように１５９日間インキュベートしたトリプトファンＡＧＥｓの励起スペクトルを図７に示す。この励起スペクトルは、蛍光波長を３９０ｎｍに設定し、励起光波長を２５０ｎｍから３７０ｎｍまでスキャンしたものである。図７に示すように、２９０ｎｍ付近にトリプトファンＡＧＥｓ由来の励起光のピークが検出された。
【０１０１】
これらの結果から、図３の測定例において、２９０ｎｍの励起光を照射することで４００ｎｍの蛍光を発する、被験者Ｂのみで見られるピークはトリプトファンＡＧＥｓ由来のピークであると考えられる。
【０１０２】
＜トリプトファンＡＧＥｓのマーカーとしての利用可能性の検証＞
トリプトファンＡＧＥｓのピークは、４２歳の被験者Ａでは検出されず、より高齢の５５歳の被験者Ｂで検出されたことから、トリプトファンＡＧＥｓは、肌状態の悪化の指標（マーカー）になる可能性が考えられた。
【０１０３】
トリプトファンＡＧＥｓが、肌状態の悪化のマーカーとなる可能性を検証するために次に示す実験を行った。
【０１０４】
生体内の状況にできるだけ近い反応条件を実現するために、リボースよりも反応性の低いグルコースを用いて、トリプトファンを糖化させた。糖化は、１／１５Ｍリン酸緩衝液にトリプトファン（４．５ｇ／ｄｌ）とグルコース（５．６ｍＭ）とを混合させ、３７℃に設定したインキュベータ内で反応させた。グルコース濃度は健常人の通常血糖濃度（８０-１００ｍｇ／ｄｌ）の範囲になるようにして調製した。
【０１０５】
蛍光測定の測定には市販の蛍光光度計（株式会社日立ハイテクノロジーズ、株式会社堀場製作所）を用いた。
【０１０６】
図８は、上述のように１３４日インキュベートさせたサンプルの蛍光スペクトルを示す図である。この蛍光スペクトルは、励起光波長を２９０ｎｍに設定し、蛍光波長を３００ｎｍから５５０ｎｍまでスキャンしたものである。
【０１０７】
図８に示すように、３５０ｎｍ付近のトリプトファン由来の蛍光ピークしか検出されず、トリプトファンＡＧＥｓが生成されていれば３９０ｎｍ付近に見られるはずのトリプトファンＡＧＥｓ由来の蛍光ピークは検出されなかった。
【０１０８】
この結果から、トリプトファンＡＧＥｓは、健常人の通常血糖濃度のグルコース存在下では生成されにくいことがわかった。一方、図６に示したように、高濃度の糖とトリプトファンとを反応させることによりトリプトファンＡＧＥｓが生成される。
【０１０９】
そのため、トリプトファンＡＧＥｓは、不摂生な食生活が続き、慢性的に高血糖状態が続くことで生成される可能性が示された。
【０１１０】
以上の結果から、アミノ酸由来のＡＧＥｓのうち、特にトリプトファンＡＧＥｓが長年の食生活の不摂生による肌状態の悪化を敏感に反映するため、トリプトファンＡＧＥｓを肌状態の悪化のマーカーとして好適に利用できることが分かった。
【０１１１】
なお、本実施例は、トリプトファンＡＧＥｓ以外のアミノ酸由来ＡＧＥｓを肌状態の指標として用いることを否定するものではなく、アミノ酸由来ＡＧＥｓの中でトリプトファンＡＧＥｓが、特に肌状態の指標として好ましいことを示すものである。
【０１１２】
また、本発明の測定方法では、トリプトファンＡＧＥｓのみをモニタリングするため、測定装置１が備える励起光源２は単一光源でよい。そのため、測定装置の仕様をコンパクトにできる。さらに、蛍光測定において波長ごとの補正は必要ではないため、測定時間が短くなるなどの効果が得られる。
【０１１３】
なお、上述の蛍光測定において、蛍光強度をより正確に測定するために、特定の基準物質に対して励起光を照射し、その蛍光を基準（リファレンス）として蛍光強度を補正することが好ましい。
【０１１４】
すなわち、本発明の測定方法に、蛍光強度の測定の標準となる蛍光を受光する標準蛍光受光工程と、標準蛍光受光工程において受光した蛍光の強度を用いて、受光工程において受光した蛍光の強度を補正する補正工程とを含めてもよい。このような蛍光強度の補正を行うことにより、測定値の信頼性を高めることができる。
【０１１５】
リファレンスを用いて補正を行う場合の計算例の一例として、例えば、測定値とリファレンスとの比をとることが挙げられる。
【０１１６】
また、上記基準物質として、励起光を長時間照射しても蛍光強度が低下しにくい物質を選択することが好ましい。このような基準物質として、ナノメータサイズの粒子を用いたナノ粒子蛍光体を用いることが好ましい。ナノ粒子蛍光体は、励起光を連続的に照射しても発生する蛍光の強度が低下しにくい。上記基準物質として蛍光ビーズを用いた場合には、励起光を連続的に照射すると次第に蛍光強度が低下していくという問題がある。
【０１１７】
なお、ナノ粒子蛍光体は、ナノ粒子のサイズを調整することによって蛍光波長を調整できるものである。
【０１１８】
（その他）
本発明は上述した各実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【０１１９】
また、上述した判定装置１０の各ブロック、特に判定部１２は、ハードウェアロジックによって構成してもよいし、次のようにＣＰＵを用いてソフトウェアによって実現してもよい。
【０１２０】
すなわち、判定装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである判定装置１０の制御プログラム（判定プログラム）のプログラムコード（実行形式プログラム、中間コードプログラム、ソースプログラム）をコンピュータで読み取り可能に記録した記録媒体を、上記判定装置１０に供給し、そのコンピュータ（またはＣＰＵやＭＰＵ）が記録媒体に記録されているプログラムコードを読み出し実行することによっても、達成可能である。
【０１２１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２２】
また、判定装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１２３】
なお、本発明は、以下のようにも表現できる。
【０１２４】
すなわち、本発明の測定方法は、肌中に含まれるトリプトファンＡＧＥｓを用いて、肌の病的な老化を評価することを特徴としている。
【０１２５】
また、上記測定方法において、肌の特定部位または特定位置に対して励起光を照射し、トリプトファンＡＧＥsの蛍光を観測し、蛍光強度を測定することで、肌の病的な老化を評価することが好ましい。
【０１２６】
また、上記励起光は、トリプトファンＡＧＥsを測定するために適した波長範囲を有していることが好ましい。
【０１２７】
また、上記励起光の波長が、約２８０ｎｍから約４００ｎｍまでの波長範囲内であることが好ましい。
【０１２８】
また、上記励起により、検出されるトリプトファンＡＧＥｓの蛍光の波長が、約３７０ｎｍから約４１０ｎｍまでの波長範囲内であることが好ましい。
【０１２９】
また、上記測定方法において、蛍光強度の測定の標準となる蛍光の強度を用いて、トリプトファンＡＧＥｓの蛍光の強度を補正することが好ましい。
【産業上の利用可能性】
【０１３０】
トリプトファンＡＧＥｓを肌のエイジングマーカーとして用いると、肌の健康状態を精度良く判定することができる。そのため、本発明は、肌状態に適した抗老化や抗糖化効果等の化粧品・医薬品の選択、肌のカウンセリング、あるいは化粧品・医薬品の有効性評価・モニタリング等、多面的に利用できる。
【符号の説明】
【０１３１】
１  測定装置（測定部）
２  励起光源
３  検出器
１０  判定装置（判定部）
１２  判定部
２０  肌状態判定システム（肌状態判定装置）
３０  測定対象部
【図１】
0005832783.tif 000002
【図２】
0005832783.tif 000003
【図３】
0005832783.tif 000004
【図４】
0005832783.tif 000005
【図５】
0005832783.tif 000006
【図６】
0005832783.tif 000007
【図７】
0005832783.tif 000008
【図８】
0005832783.tif 000009